(57)【特許請求の範囲】
【請求項１】
少なくとも１つの文書を作成するためのパラメータを有する少なくとも１つの予め形成されたジョブチケットを格納するメモリと、コントローラとを有する画像形成システムを用いて、少なくとも１つのハード・コピー文書についての個々のジョブチケットを同時に作成することなく、前記少なくとも１つのハード・コピー文書を生成するための方法であって、
前記コントローラが、文書ファイルを、該文書ファイルの名前に、前記少なくとも１つの予め形成されたジョブチケットの少なくとも１つに対応するテキストストリングを埋込んで、保存すること、
前記コントローラが、前記少なくとも１つの予め形成されたジョブチケットが前記文書ファイル名前に埋込まれた前記テキストストリングに対応するかどうかを判定すること、
前記コントローラが、前記判定において前記少なくとも１つの予め形成されたジョブチケットが前記文書ファイル名前に埋込まれた前記テキストストリングに対応する場合、前記埋込まれたテキストストリングに対応する前記予め形成されたジョブチケットを前記文書ファイルに添付すること、及び、
前記コントローラが、前記文書ファイル及び前記添付済みジョブチケットに従って前記少なくとも１つの文書を出力する、ことから成り、
前記少なくとも１つの予め形成されたジョブチケットは、前記コントローラによって、
ジョブチケットに名前を付与すること、
前記ジョブチケットについてのユーザ提供値を持つことができる、ゼロ、１つ又はそれ以上のパラメータを定義すること、
前記ユーザ提供値を取ることができる前記パラメータの各々についてデフォルト値を設定すること、
前記ジョブチケットの残りのパラメータのための値を入力すること、及び、
前記画像形成システムの前記メモリに前記ジョブチケットを格納すること、によって作成される、
ことを特徴とする方法。
【請求項２】
請求項１に記載の方法において、前記コントローラが、前記判定において前記少なくとも１つの予め形成されたジョブチケットが前記文書ファイル名前に埋込まれた前記テキストストリングに対応しない場合、少なくとも１つの入力装置を用いる少なくとも１つの追加のジョブチケットを生成すること、及び前記少なくとも１つの追加のジョブチケットを前記文書ファイルに添付することを含み、前記コントローラが、該文書ファイル及び添付した前記追加のジョブチケットに従って前記少なくとも１つの文書を出力する、ことを特徴とする方法。
【発明の詳細な説明】
【０００１】
【発明の属する技術分野】
本発明は、一般に、電子ファイル情報からハード・コピー文書を作成することに関する。
【０００２】
【従来の技術】
ジョブチケットは、従来、例えば、片面印刷又は両面印刷等の指定フォーマット又はスタイルにより及び／又は文書に適用される指定画像処理手順によって、指定数の文書を作成するように画像形成システムを指示するのに用いられる。そのため、文書は、該文書に添付されたジョブチケットに規定された通りに作成される。
【０００３】
しかしながら、ジョブチケットの各々に種々のパラメータを設定することは、多くの場合、時間のかかる仕事である。図１は従来のジョブチケットを示し、所望の印刷物を実現するように設定できる種々のパラメータのサブセットのみを含む。
【０００４】
プリンタ、複写機又は画像形成装置に個々のジョブチケットを入力することによって、提示された個々のジョブの各々に、ページ順序、複写及び／又は表示、並びに印刷スタイル、フォーマット等についての融通性が与えられることは、一般的に公知である。個々の印刷、複写又は画像形成のパラメータは、ジョブチケット上のパラメータを変更することによって、変化させ又は操作することができる。しかしながら、オペレータによって繰返されるパラメータ記入は間違いを招きやすく、誤って供給されたジョブチケットのパラメータに基づいた出力全体を無用のものにすることになる。このように、個々のジョブチケットの作成は、時間がかかるだけでなく、無駄な間違い及び非効率性になりがちでもある。
【０００５】
更に、プリンタ、複写機、ファクシミリ装置、多機能装置等の画像形成システムをオンライン仕上げ装置に統合化することは、ますます普及しつつある。これらのオンライン仕上げ装置は、画像形成システムから出力される用紙を直接受取り、画像形成装置によって出力された各用紙又は各組の用紙に種々のタイプの仕上げ操作を行う。仕上げ操作は、例えば、製本（バインド）、綴じ合わせ（ステッチ）、折畳み（フォールド）、トリミング、整列、回転、パンチ穴あけ、ドリル穴あけ、切込み及び／又はミシン目入れ、並びにこれら処理の組合せである。しかしながら、こうした仕上げ操作のいずれにおいても、その対応するジョブチケットに追加のパラメータを埋込み設定することが求められる。従って、結果としては、間違いの機会が増え、非効率性が高まり、時間がかかることになる。
【０００６】
【発明が解決しようとする課題】
従来の、即ち簡易なソフトウェア指令を備えた、文書処理装置、プリンタ、複写機又は画像形成装置の制御機能をプログラムし実行する方法は、普通のことであり当技術分野において周知である。こうしたソフトウェア指令は、勿論、用いられる特定の機能及びマイクロプロセッサ又はマイクロコンピュータ・システムによって異なるが、それでも当業者にとっては容易に利用することができる。種々の公知の又はその後に開発された論理及び／又はスイッチングシステムを用いて、従来の又は特定の文書処理、印刷、複写又は画像形成の機能及び制御を選択的に提供できることもまた、公知である。
【０００７】
【課題を解決するための手段】
本発明は、個々のジョブチケットについて同時（並行）に作成すること(concurrent create)を要求することなくプリントジョブを提示するためのシステム及び方法を提供する。
【０００８】
本発明は、事前に作成されて繰返し利用可能なジョブチケットを識別するプリントジョブのためのファイルコード名を付与するシステム及び方法を別途提供する。
【０００９】
本発明は、種々のプリントジョブのサービスの値、例えば所望の複写の数、拡大又は縮小倍率、画像回転又は画像移動の程度等の、前もって作成されて繰返し利用可能な対応するジョブチケットによって認識可能なものを、ファイルコード名内に、埋込むためのシステム及び方法を別々に提供する。
【００１０】
本発明は、ジョブチケットを作成及び格納し、そのジョブチケットに対応するジョブファイルコード名を有するジョブファイルに従ってこのジョブチケットを用いるためのシステム及び方法を別々に提供する。
【００１１】
本発明によるシステム及び方法は、所望のプリントジョブと同時に作成される個々のジョブチケットにパラメータを入力する際の間違いが減少され、また理想的には最小限に抑えられる点で、ジョブチケットをより効率的に作成し、使用できるようにするものである。さらには、ジョブのそれぞれに対するジョブチケットを準備する時間のかかる仕事を減少し、又は回避することができる。
【００１２】
【発明の実施の形態】
以下の図を参照して、本発明の種々の例示的実施の形態を詳細に説明する。
図１及び図２を参照すると、例示的な画像形成装置１は、例えば、スキャナセクション２、コントローラセクション３、プリンタセクション４及び任意に設けられる仕上げ装置セクション９に分けられる。コントローラセクション３は、１つ又はそれ以上のユーザ・インタフェース５、対話型のタッチ画面ディスプレイ６、キーボード７及びマウス８を含む。仕上げ装置セクション９は、プリンタセクション４によって出力された文書に綴じ合せか、ステープル留めか、綴込みか又はその他の方法を施す仕上げ操作に用いられる。
【００１３】
用紙の大きさ、片面印刷（ｓｉｍｐｌｅｘ）又は両面印刷（ｄｕｐｌｅｘ）、ページ番号付与（Ｐａｇｅ  Ｎｕｍｂｅｒｉｎｇ）、画像移動（Ｉｍａｇｅ  Ｓｈｉｆｔ）等の所望のパラメータの組に従って１つの文書又は１組の文書を出力するために画像形成システム１その他の公知の或いはその後に開発されたいずれかのプリンタ・システムを用いることは、ユーザにとっては非常に使い勝手の悪いものになる可能性がある。従来は、文書ファイルが作成された後に、印刷要求と同時（並行）に種々のパラメータが決定されていた。そのため、例えば図１に示すように、所望パラメータを個別に選択するために、ジョブチケット１０がオペレータにより作成されていた。典型的には、オペレータは、例えば用紙の所望の大きさ（Ｐａｐｅｒ  Ｓｉｚｅ）、所望の縮小（Ｒｅｄｕｃｅ）／拡大（Ｅｎｌａｒｇｅ）倍率、画像形成されるのはいずれの面（Ｓｉｄｅ）（片面印刷又は両面印刷）か、及び／又は、基本パラメータ・ボックス１１に示される１つ又はそれ以上の画質（Ｉｍａｇｅ  Ｑｕａｌｉｔｙ）についてのパラメータを入力する。キーボード７、マウス８又はタッチ画面ディスプレイ６のいずれかにより、実行された種々のパラメータ値を画像形成システム１に入力することができる。勿論、追加パラメータ及び／又はパラメータの組合せを幾つでも利用でき、基本パラメータ・ボックス１１に示されたものとは別に、又はそれらと一緒に、これらの追加パラメータ値がオペレータによって入力される。
【００１４】
図１の基本パラメータ・ボックス１１（Ｂａｓｉｃ）において特定されたもののような、種々のパラメータ値についてのオペレータによる入力は、特に、オペレータがジョブチケット処理に習熟していないとき、又は画像形成システム１から所望の文書又は文書の組を作成するために異なる多数のパラメータが入力されるよう求められたときに、オペレータの間違いを招きやすい時間のかかる仕事になる。
【００１５】
図３は、指定されたパラメータの所望の１枚の又は組の文書を画像形成システム１から作成するための本発明によるプロセスの例示的実施の形態を表す。画像形成システム１のコントローラセクション３は不揮発性メモリ（図示せず）を有し、それには、例えばジョブチケット１００ａ〜１００ｄのような１つ又はそれ以上の予め形成された１組のジョブチケット１００が格納される。例えば、適当な対応するジョブチケットが添付された文書ファイルが画像形成システム１に提示されたときに、例えば、ジョブチケット１００ａ〜１００ｄの各々が用いられて、ジョブチケット１００ａ〜１００ｄの１つに設定されたパラメータに従って１つの文書又は１組の文書を自動作成することができる。
【００１６】
例えば、第一のジョブチケット１００ａは、片面印刷（Ｓｉｍｐ）で綴じ仕上げ（Ｂ）された文書を作成するように事前設定される。すなわち、ジョブチケット１００ａは、ファイル名「ＳｉｍｐＢ．ｘｊｔ」を用いて格納し、そのネームすなわち名前の「ＳｉｍｐＢ」の部分は、そのジョブチケットに設定された１つ又はそれ以上のパラメータ値を記述するのに用いられ、拡張子部分「ｘｊｔ」は事前に格納されたジョブチケットファイルとしてこのファイルを識別する。画像形成システム１に提示された文書のファイル名が、格納済みの「ＳｉｍｐＢ．ｘｊｔ」のジョブチケット１００ａの名前部分「ＳｉｍｐＢ」を含むときはいつでも、片面印刷で且つ綴じられたた、１つの又は１組の文書が、「ＳｉｍｐＢ．ｘｊｔ」のジョブチケット１００ａに設定されたパラメータのすべてに従って、自動的に作成されることになる。
【００１７】
ジョブチケットの組１００は勿論、例えば印刷システム１の不揮発性メモリが格納できるいかなる数のジョブチケットをも含むことができる。そのため、追加のジョブチケットを必要に応じて加えることができる。
【００１８】
例えば、ジョブチケット１００ａ〜１００ｄのような、１組のジョブチケットの組１００が作成され、画像形成システム１の不揮発性メモリに格納されると、文書ファイルが、例えば、ジョブチケット組１００のジョブチケット１００ａ〜１００ｄのように前もって設定され格納されたジョブチケットの１つの名前部分に対応するファイル名に埋込まれたテキストストリング（例えば、テキストＳｉｍｐとテキストＢの列すなわちストリング）を与えられたときはいつでも、ユーザはジョブチケットのいずれにも繰返しアクセスすることができる。
【００１９】
図３は、例えばファイル名「ＵｓｅｒＧＳｉｍｐＢ１２．ｐｓ」を用いて保存された文書ファイル２００を示す。文書ファイル２００の名前にあるテキストストリング「ＳｉｍｐＢ」を含むのは、画像形成システム１の不揮発性メモリに前もって設定され格納された、例えば、「ＳｉｍｐＢ．ｘｊｔ」のジョブチケット１００ａに対応する。このようにして、「ＳｉｍｐＢ．ｘｊｔ」のジョブチケット１００ａは、図３に示すように「ＵｓｅｒＧＳｉｍｐＢ１２．ｐｓ」の名前を付された文書ファイル２００に添付され、結合された画像形成文書３００を形成する。その結果、ジョブチケット１００ａは、即座に利用可能になり、「ＵｓｅｒＧＳｉｍｐＢ１２．ｐｓ」の名前を付された文書ファイル２００について１つの文書又は１組の文書を、「ＳｉｍｐＢ．ｘｊｔ」のジョブチケット１００ａに設定された値に従って、結合された画像形成文書３００が処理のために画像形成システム１に提示されるとき、作成する。
【００２０】
図３は、更に、「ＵｓｅｒＧＳｉｍｐＢ１２．ｐｓ」の名前を付された文書ファイル２００に、例えば「１２」のような数量記号を埋込むことによって、予め形成されたジョブチケット１００ａが、例えば、ユーザ入力値を受けることができるようにフラグが立てられたパラメータ値を自動的に識別できることを示す。この例において、文書ファイル２００とジョブチケット１００ａが結合されて、結合された画像形成文書３００を形成するときに、予め形成されたジョブチケット１００ａにおいて、複写数のパラメータを、印刷されるべき文書数量についてのユーザ提供の値に設定することができる。この例において、複写数の値は１２である。したがって、結合された画像形成文書３００が印刷システム１に提示されるときに、図３の４００に示すように、「ＵｓｅｒＧ．ｐｓ」文書の１２枚の片面印刷の製本複写物が作成される。
【００２１】
勿論、作成される文書数を変更するために、いかなる数量記号も文書ファイル２００の名前に追加することができる。文書ファイル２００の名前に数量記号が全く加えられていない場合には、結合された画像形成文書３００が印刷のための画像形成システム１に提示されたときに、例えば１というデフォルト値の数量記号が対応する例えばジョブチケット１００ａによって供給される。その結果、１つの文書のみがデフォルト値のパラメータに従って印刷される。デフォルト値のパラメータは、所望されるような「１」以外の異なる設定にしてもよい。
【００２２】
勿論、印刷されるべき文書数に加え、又はそれとは別に、ユーザが提供する値を受けることができるパラメータは、文書ファイルが処理のために画像形成システム１に提示される前に、文書ファイル名に追加されて埋込まれた値に対応する数量記号をもちいてジョブチケット１００ａ〜１００ｄの特定の１つで実行することができる。図４は、例えば、「ｂｒｏｃｈ／ＤｕｐｌｅｘＢ１２０／８５．ｐｓ」の名前を付された文書ファイル２１０を示す。「ＤｕｐＢ．ｘｊｔ」のジョブチケット１００ｄは、ユーザ提供値を受けることができる２つのパラメータすなわち複写数及び拡大／縮小倍率を有する。例えば、文書ファイル２１０は、８５パーセント倍率で１２０部の綴じた（Ｂ）複写物の両面印刷（Ｄｕｐ）を求める小冊子（ｂｒｏｃｈ）のためのものとなる。従って、文書ファイル２１０は、例えば、予め形成されたジョブの「ＤｕｐＢ．ｘｊｔ」のジョブチケット１００ｄに対応する。「ＤｕｐＢ．ｘｊｔ」のジョブチケット１００ｄは、例えば両面印刷（Ｄｕｐ）の綴じ（Ｂ）であり、「ユーザ」に設定された拡大／縮小パラメータ（８５（％））を有する。その結果、固定された拡大／縮小倍率を用いるのではなく、文書ファイル名は、構文解析されてユーザ提供倍率が判断される。この文書ファイル２１０は、次に、「ＤｕｐＢ．ｘｊｔ」のジョブチケットと合わされて、結合された画像形成文書３１０となる。結合された画像形成文書３１０は、次に画像形成システム１に提示され、所望の如く８５パーセント倍率で両面印刷（ｄｕｐｌｅｘ）で１２０枚の小冊子（ｂｒｏｃ）綴込み（Ｂ）複写を含む出力文書４１０を作成する。かくして、文書ファイル名にテキストストリングとパラメータ値とを埋込むことによって、並びに、文書ファイルをテキストストリング及び／又はパラメータ値に基づき対応する予め形成されたジョブチケットと合わせることによって、印刷要求と同時に個々の１回毎のジョブチケットを作成する必要性が減少される。
【００２３】
図５は、本発明による、予め形成された「．ｘｊｔ」のジョブチケットを作成し、設定し、保存するための方法の１つの例示的実施の形態を概説するフロー図である。段階Ｓ１００から始まり、プロセスは段階Ｓ２００に進み、そこで予め形成されたパラメータのジョブチケットに名前が付される。名前は、図３及び図４のジョブチケット１００ａにあるような例えば「ＳｉｍｐＢ．ｘｊｔ」とすることができる。
【００２４】
次に、段階Ｓ３００において、ジョブチケットにあるゼロ、１つ又はそれ以上のパラメータが、本発明のシステム及び方法によるファイル名を介して、ユーザ提供値として入力可能なものと定義される。これらパラメータは通常、上記で概説された例におけるような数値を取ることになる。しかしながら、出力トレイ、仕上げ装置又はそれに類するもののような番号の付されていない重要パラメータもまた、ユーザ提供の値を取るものと定義することができる。しかし、それは極めて長いファイル名になることがある。或いは、こうした番号の付されていない重要パラメータは、特定パラメータについての所望の番号の付されていない値を識別するために、文書ファイル名において使用される数値その他の符号を付与されることができる。操作は、次に段階Ｓ４００に続く。
【００２５】
段階Ｓ４００において、ユーザ提供値を取る段階Ｓ３００において定義されたゼロ、１つ又はそれ以上のパラメータのそれぞれに対して、デフォルト値が定められる。次に段階Ｓ５００において、ジョブチケットの残りの全パラメータ値が入力される。続いて段階Ｓ６００において、ジョブチケットが、そのジョブチケットにおいて重要な１つ又はそれ以上のパラメータ値を記載しているファイル名を用いて格納される。操作は、次に段階Ｓ７００に続く。
【００２６】
段階Ｓ７００において、もっとジョブチケットが作成されるべきかどうかの判断がなされる。もしＹＥＳであれば、プロセスは次に段階Ｓ２００に戻る。ＮＯである場合には、そこでプロセスが完了する。したがって、操作は段階Ｓ８００でこの方法は終了する。結果として、例えばジョブチケット１００ａ〜１００ｄの組１００のような必要な予め形成されたジョブチケットは、繰返し利用可能であり、例えば図６で示すプロセスにおいて提供されるように、対応する文書ファイルに添付される。
【００２７】
図６は、本発明のシステム及び方法による１つの文書又は１組の文書を作成するための方法の１つの例示的実施の形態を概説するフロー図である。段階Ｓ１０００から始まり、操作は段階Ｓ１１００に続き、そこで印刷されるべき所望の文書ファイルが保存され、ファイル名が文書ファイル名に埋込まれたテキストストリングを含むものとなる。保存された文書ファイル名内の埋込まれたテキストストリングは、画像形成システムの不揮発性メモリ上に前もって設定されて格納されたジョブチケットの組１００の、例えばジョブチケット１００ａ〜１００ｄの「．ｘｊｔ」ジョブチケットの１つの名前部分に対応する。
【００２８】
次に、段階Ｓ１１５０において、ユーザ提供の値を取る１つ又はそれ以上のパラメータ値を任意に文書ファイル名に埋込んで、埋込まれたテキストストリングと、ゼロ、１つ又はそれ以上の追加パラメータ値をもつ文書ファイルが１つの文書又は１組の文書を出力するために、画像形成システムに提示された画像形成装置に画像形成指令をさらに提供することもできる。
【００２９】
段階Ｓ１２００において、段階Ｓ１１００で保存された通りに文書ファイル名に保存された埋込済みテキストストリングに対応する予め形成されたジョブチケットが存在するかどうかの判断がなされる。埋込み済みテキストストリングに対応する予め形成されたジョブチケットが存在する場合には、操作は、段階Ｓ１３００に続く。ＮＯの場合には、操作は段階Ｓ１４００に跳ぶ。
【００３０】
段階Ｓ１３００において、対応するジョブチケットが文書ファイルに添付される。対照的に、段階Ｓ１４００おいては、新たなジョブチケットが従来のジョブチケット作成方法を用いて作成される。次に、段階Ｓ１５００において、新たに作成されたジョブチケットが対応する文書ファイルに添付される。操作は、次に段階Ｓ１６００に続く。
【００３１】
段階Ｓ１６００において、添付されたジョブチケットをもつ文書ファイルが画像形成システムに提示され、添付されたジョブチケットに示された値に従って、ユーザ提供のパラメータ値が文書ファイル名に埋込まれている場合にはその値に従って、所望の文書又は組の文書が出力される。次に、段階Ｓ１７００において１つ文書又は組の文書が所望の通りに出力されて、処理は終了する。
【００３２】
例示のみの目的で図６に記載した例示的方法を参照すると、文書の最初即ちオリジナルのファイル名は、「ｂｒｏｃｈ．ｐｓ」とすることができる。「ＤｕｐＢ．ｘｊｔ」の名前を付された予め形成されたジョブチケットは、両面印刷の製本印刷物を提供することができる。段階Ｓ１１００において、文書ファイル名の「ｂｒｏｃｈ．ｐｓ」は、該ファイル名に少なくともテキストストリングの「ＤｕｐＢ」を埋込むことによって変更され、このため文書ファイル名が「ｂｒｏｃｈＤｕｐＢ．ｐｓ」になる。結果として、テキストストリングが埋込まれた文書ファイル、すなわち「ｂｒｏｃｈＤｕｐＢ．ｐｓ」は、そのジョブチケットサービスに少なくとも両面印刷の製本特徴を提供する「ＤｕｐＢ」の名前を付された対応するジョブチケットと合わせることができる。文書ファイル名「ｂｒｏｃｈＤｕｐＢ．ｐｓ」に数量記号が全く含まれていないため、対応するジョブチケットが文書に添付され文書及び添付されたジョブチケットが画像形成システム１に提示されるときに、文書数のための、及び「ＤｕｐＢ．ｘｊｔ」のジョブチケットに設定可能な他のユーザに提供値のパラメータについて、デフォルト値だけが提供されることになる。
【００３３】
「ｂｒｏｃｈＤｕｐＢ．ｐｓ」として保存済みの例示的文書ファイルは、段階Ｓ１１５０に従って任意にさらに変更され、文書ファイル名に１つ又はそれ以上の追加パラメータ値を埋込むことができる。このようにして、例えば文書ファイルは、代わりに「ｂｒｏｃｈＤｕｐＢ１２０−８５．ｐｓ」とさらに名前を付与することができる。例えば「−」のような所望のいずれかの符号によって区切られた「１２０」と「８５」のこうした追加数値パラメータは、文書ファイル及び添付済みの対応する「ＤｕｐＢ．ｘｊｔ」のジョブチケットが最終的に画像形成システムに提示されるときに、例えば１２０の文書が８５パーセント倍率で出力されることを示す。
【００３４】
生成された文書数量及び生成された文書上に提供された画像倍率に関して上記の文書ファイル名「ｂｒｏｃｈＤｕｐＢ１２０−８５．ｐｓ」にある「１２０」及び「８５」のパラメータのような文書ファイル名に提供された追加パラメータは、例示的なものにすぎない。上記したように、ジョブチケットにあるいずれのパラメータ値、例えば画像の回転度、ページの番号付与、鮮明度／明暗度の程度又はそれに類するもの等が、文書ファイル名の表示のために利用可能である。一般に、必要とされるものの全ては、特定のパラメータについての値が、受けとった文書におけるそのパラメータにこの値を埋込むことによって供給できるということを、ジョブチケットが示すことである。
【図面の簡単な説明】
【図１】従来のジョブチケット及びジョブチケットに設定するための利用可能な種々のパラメータの一部を表す図である。
【図２】本発明によるジョブチケットを用いることのできる画像形成システムの１つの外観図である。
【図３】本発明による対応するジョブチケットを介したプリントジョブファイルの１つの例示的実施の形態を図式的に表す図である。
【図４】本発明による追加パラメータを有する対応するジョブチケットを介したプリントジョブファイルの別の例示的実施の形態を図式的に表す図である。
【図５】本発明によるジョブチケットを作成するための方法の１つの例示的実施の形態を概説するフロー図である。
【図６】本発明による対応するジョブチケットを介したプリントジョブファイルのための方法の１つの例示的実施の形態を概説するフロー図である。
【符号の説明】
１  画像形成装置
２  スキャナセクション
３  コントローラセクション
４  プリンタセクション
５  ユーザ・インタフェース
６  タッチ画面表示
７  キーボード
８  マウス
９  仕上げ装置
１０  ジョブチケット
【図１】
0004302400.tif 000002
【図２】
0004302400.tif 000003
【図３】
0004302400.tif 000004
【図４】
0004302400.tif 000005
【図５】
0004302400.tif 000006
【図６】
0004302400.tif 000007